(57)【要約】      （修正有）【課題】従来の貯湯槽を、高低温湯の境界層が明瞭となり、出湯温度にむらを生じさせない貯湯槽に改変可能な貯湯槽内部構造を提供する。【解決手段】各種の温水利用に対しては給湯を行うために槽周壁Ｓ上部に配設した出湯口２と、原水の低温湯を送水するために槽周壁下部に配設した給水口３と、各種の温水利用後の残温水を槽本体に戻すために周壁上部に配設した返湯口６と、槽本体内部下層に沈降した低温湯を槽本体外の熱交換機器に還流して加熱し昇温して槽本体の内部上層へ貯湯して循環するように槽周壁Ｓの上部及び下部にそれぞれ配設した往路循環口４及び復路循環口５とより構成してなる貯湯槽において、槽周壁に配設した給水口３、返湯口６、往路循環口４及び復路循環口５のいずれかの槽周壁内側面の開口部を上下開放した断面略コ字状の縦型の整流ケース１１〜１４で被覆したことを特徴とする貯湯槽内部構造である。【選択図】図３
2015210039.tif 000002
【特許請求の範囲】
【請求項１】
各種の温水利用に対しては給湯を行うために槽周壁上部に配設した出湯口と、
原水の低温湯を送水するために槽周壁下部に配設した給水口と、
各種の温水利用後の残温水を槽本体に戻すために周壁上部に配設した返湯口と、
槽本体内部下層に沈降した低温湯を槽本体外の熱交換機器に還流して加熱し昇温して槽本体の内部上層へ貯湯して循環するように槽周壁の上部及び下部にそれぞれ配設した往路循環口及び復路循環口とより構成してなる貯湯槽において、
槽周壁に配設した給水口、返湯口、往路循環口及び復路循環口のいずれかの槽周壁内側面の開口部を上下開放した断面略コ字状又は断面略Ｕ字状の縦型の整流ケースで被覆したことを特徴とする貯湯槽内部構造。
【請求項２】
整流ケースを被覆する槽周壁内側面の開口部は、給水口、返湯口、往路循環口及び復路循環口であることを特徴とする請求項１に記載の貯湯槽内部構造。
【請求項３】
返湯口を被覆した整流ケースの上面開放部には槽本体天井を湾曲状に形成した鏡板部に対応するように鏡板部整流ケースを連設したことを特徴とする請求項１又は２に記載の貯湯槽内部構造。
【請求項４】
上下開放した整流ケースの上方開口部に、槽本体天井を湾曲状に形成した鏡板部に対応するように連設した鏡板部整流ケースの代わりに板状の鏡板部整流プレートを連設したことを特徴とする請求項３に記載の貯湯槽内部構造。
【請求項５】
給水口と復路循環口を被覆した整流ケースに整流パイプをそれぞれ連通し、各整流パイプの先端は、基端より下方に位置させた状態で槽本体の底部を貫通させた支持脚部に担持させたことを特徴とする請求項１〜４に記載の貯湯槽内部構造。
【発明の詳細な説明】
【技術分野】
【０００１】
この発明は貯湯槽内部構造、詳しくは湯を貯える貯湯槽の内部構造に関する。
【背景技術】
【０００２】
従来、循環湯を配水する浴槽やカラン等は一定量の湯を貯留するための貯湯槽と所定の配管を介して連通されており、しかも、貯湯槽の内部では、上部層に高温湯を下部層に原水を貯留して常時出湯口に高温湯が滞留するようにしている。
そのために、特許文献１（特開２００４−３６１０７３号公報）に開示されているように貯湯槽の内部に一定の構造物を設置して高温湯と原水の低温湯との間に境界層を形成している。
【先行技術文献】
【特許文献】
【０００３】
【特許文献１】特開２００４−３６１０７３号公報
【発明の概要】
【発明が解決しようとする課題】
【０００４】
かかる従来の貯湯槽において、内部に設置する一定の構造物は、槽内上部に配設した上部整流筒と槽内下部に配設した下部整流筒とこれらの整流筒に先端開口部を連通し、基端開口部を各種配管口に連通した小径パイプとより構成しているために、構造が複雑となり、その分熱ロスも多く、高温湯と低温湯の領域が出湯口に対して整順した上下領域とならず、高低温湯の境界層が不明瞭となり、出湯温度にむらを生起しやすくなる欠点を有していた。
【０００５】
また、給湯システムは熱交換機器（ボイラー）と貯湯槽とにより構成しているが、熱交換機器側は使用劣化が進んで使用困難になりやすい反面、貯湯槽は使用劣化が進まずにそのまま継続して使用可能な状態で残存していた。
しかも、残存した貯湯槽は、従来型であり前記特許文献１に記載のような構造を有していないため、高低温湯の境界層が不明瞭となり、出湯温度にむらを生起しやすくなる欠点を有していた。
このため、ユーザーは前記ボイラーと共に前記特許文献１に記載のような構造を有するような構造を有する貯湯槽とを同時に買い替える必要が生じていた。
【０００６】
この発明は、前記課題を解決するためになされたもので、従来の貯湯槽を、高低温湯の境界層が明瞭となり、出湯温度にむらを生じさせない貯湯槽に改変可能な貯湯槽内部構造を提供することを目的とする。
【課題を解決するための手段】
【０００７】
（１）この発明は、各種の温水利用に対しては給湯を行うために槽周壁上部に配設した出湯口と、原水の低温湯を送水するために槽周壁下部に配設した給水口と、各種の温水利用後の残温水を槽本体に戻すために周壁上部に配設した返湯口と、槽本体内部下層に沈降した低温湯を槽本体外の熱交換機器に還流して加熱し昇温して槽本体の内部上層へ貯湯して循環するように槽周壁の上部及び下部にそれぞれ配設した往路循環口及び復路循環口とより構成してなる貯湯槽において、槽周壁に配設した給水口、返湯口、往路循環口及び復路循環口のいずれかの槽周壁内側面の開口部を上下開放した断面略コ字状又は断面略Ｕ字状の縦型の整流ケースで被覆したことを特徴とする貯湯槽内部構造を提供せんとするものである。
【０００８】
（２）また、前記（１）に記載の発明において、整流ケースを被覆する槽周壁内側面の開口部は、給水口、返湯口、往路循環口及び復路循環口であることを特徴とする貯湯槽内部構造を提供せんとするものである。
【０００９】
（３）また、前記（１）又は（２）に記載の発明において、返湯口を被覆した整流ケースの上面開放部に槽本体天井周縁に形成した鏡板部に対応する状態で鏡板部整流ケースを連設したことを特徴とする貯湯槽内部構造を提供せんとするものである。
【００１０】
（４）また、前記（３）に記載の発明において、上下開放した整流ケースの上方開口部に、槽本体天井を湾曲状に形成した鏡板部に対応するように連設した鏡板部整流ケースの代わりに板状の鏡板部整流プレートを連設したことを特徴とする貯湯槽内部構造を提供せんとするものである。
【００１１】
（５）また、前記（１）〜（４）のいずれかに記載の発明において、給水口と復路循環口を被覆した整流ケースに整流パイプをそれぞれ連通し、各整流パイプの先端は、基端より下方に位置させた状態で槽本体の底部を貫通させた支持脚部に担持させたことを特徴とする貯湯槽内部構造を提供せんとするものである。
【発明の効果】
【００１２】
請求項１に記載の発明によれば、貯湯槽において、槽周壁に配設した給水口、返湯口、往路循環口及び復路循環口のいずれかの槽周壁内側面の開口部を上下開放した断面略コ字状の縦型の整流ケースで被覆することにより、槽本体内の天井又はその近傍に、返湯口から注入される湯を、減速させつつ槽本体の天井へ導く整流ケースが配置してあり、前記槽本体内の底部又はその近傍に、給水口から供給される原水を、減速させつつ槽本体の底部へ導く整流ケースが配置してあるため、貯湯槽内で撹拌・対流を生じることが可及的に防止され、注入された湯は貯湯槽の天井から底部へ、順次積層される態様で、即ち、原水との界面を保った状態で貯えられて行くと共に、給水口から内部に供給された原水は、貯湯槽内で撹拌・対流を生じることが可及的に防止され、内部に供給された原水は、槽本体の底部に留まり、湯と原水との界面が乱れることなく保たれる効果を有する。
従って、貯湯槽内のほとんどの領域を湯にすることができ、従来と同じ容積の貯湯槽で有効温度の湯水をより多量に貯蔵することができる。
【００１３】
また、給水口等の開口部を上下開放した断面略コ字状の縦型の整流ケースで被覆可能に構成したので、既存の貯湯槽に整流ケースを後付けで取り付けることで、高低温湯の境界層が明瞭となり、出湯温度にむらを生じさせない貯湯槽に改変可能である。
【００１４】
すなわち、熱交換機器（ボイラー）と貯湯槽とを組み合わせる給湯システムにおいて、使用劣化が進まず継続して使用可能な状態で残存する貯湯槽に対して、複数の整流ケースを後付けで槽内部に取り付けることにより、上記のような性能を向上させた状態で継続使用ができる効果を有する。
【００１５】
請求項２に記載の発明によれば、整流ケースを被覆する槽周壁内側面の開口部は、給水口、返湯口、往路循環口及び復路循環口であるので、給水口、返湯口、往路循環口及び復路循環口の各開口部に流入すると、その流速が低減され、緩やかな流れとなって貯湯槽内の天井へ導かれ、同様に、給水管から供給される原水は、下側整流部材内に流入するとその流速が低減され、緩やかな流れとなって貯湯槽内の底部へ導かれる効果を有する。
【００１６】
請求項３に記載の発明によれば、返湯口を被覆した整流ケースの上面開放部に槽本体天井周縁に形成した鏡板部に対応する状態で鏡板部整流ケースを連設したので、各貯湯槽の槽本体天井周縁の形状に応じて鏡板部整流ケースを設置することができ、湯や水を攪拌や対流を可及的に少なくして槽本体の天井又は槽本体の下部に供給できる効果を有する。
【００１７】
請求項４に記載の発明によれば、上下開放した整流ケースの上方開口部に、槽本体天井を湾曲状に形成した鏡板部に対応するように連設した鏡板部整流ケースの代わりに板状の鏡板部整流プレートを連設したので、整流部材の構造を簡単にし、槽本体の天井側で整流部材の設置スペースを可及的に少なくし、しかも、湾曲状を有する槽本体天井に沿った形状を有して配置できる効果を有する。
【００１８】
請求項５に記載の発明によれば、給水口と復路循環口を被覆した整流ケースに整流パイプをそれぞれ連通し、各整流パイプの先端は、基端より下方に位置させた状態で槽本体の底部を貫通させた支持脚部に担持させたので、前記特許文献１に記載の貯湯槽の下部構造に類似する構造とすることができる。
また、整流パイプとして既存の部材を使用することができ、例えば、空調用ダクトを構成するステンレスパイプ等を使用することにより貯湯槽に要する部品コストを低減し得る効果を有する。
【図面の簡単な説明】
【００１９】
【図１】本発明の実施例１における貯湯槽内部構造の内部構造を有した貯湯槽配管システム図である。
【図２】本発明の実施例１における貯湯槽の平面図である。
【図３】本発明の実施例１における貯湯槽の断面説明図である。
【図４】本発明の実施例１における貯湯槽の一部断面説明図である。
【図５】本発明の実施例１における整流ケースの各構造を示した斜視説明図である。
【図６】本発明の実施例１における整流ケースの組立説明図である。
【図７】本発明の実施例１における貯湯槽内の湯水を、加熱器の加熱能力を超えて給湯した場合の貯湯槽内の貯蔵水の温度変化を説明する説明図である。
【図８】本発明の実施例２〜３における整流ケースの斜視説明図である。
【発明を実施するための形態】
【００２０】
この発明は、各種の温水利用に対して給湯を行うために槽周壁上部に配設した出湯口と、原水の低温湯を送水するために槽周壁下部に配設した給水口と、各種の温水利用後の残温水を槽本体に戻すために周壁上部に配設した返湯口と、槽本体内部下層に沈降した低温湯を槽本体外の熱交換機器に還流して加熱し昇温して槽本体の内部上層へ貯湯して循環するように槽周壁の上部及び下部にそれぞれ配設した往路循環口及び復路循環口とより構成してなる貯湯槽において、槽周壁に配設した給水口、返湯口、往路循環口及び復路循環口のいずれかの槽周壁内側面の開口部を上下開放した断面略コ字状の縦型の整流ケースで被覆したことを特徴とする貯湯槽内部構造を提供せんとするものである。
【００２１】
このように、この槽本体内の天井又はその近傍には、復路循環口から注入される湯を減速させつつ槽本体の天井へ導く整流ケースが配置してあり、往路循環口から注入された湯は、整流ケースによって緩やかに槽本体内の天井へ導かれてそこに貯えられて行く。
従って、貯湯槽内で撹拌・対流を生じることが可及的に防止され、注入された湯は貯湯槽の天井から底部へ、順次積層される態様で、即ち、原水との界面を保った状態で貯えられて行く。
【００２２】
一方、槽本体内の底部又はその近傍には、給水口から供給される原水を減速させつつ槽本体の底部へ導く整流ケースが給水口に配置してあり、給水口から内部に供給された原水は、給水口の整流ケースによって緩やかに槽本体内の底部へ導かれてそこに貯えられて行く。
従って、復路循環口の整流ケースの場合と同様に、貯湯槽内で撹拌・対流を生じることが可及的に防止され、内部に供給された原水は、槽本体の底部に留まり、湯と原水との界面が乱れることなく保たれる。
【００２３】
これによって、貯湯槽内のほとんどの領域を湯にすることができ、従来と同じ容積の貯湯槽にあっても有効温度の湯水をより多量に貯蔵することができることにより、より少ない容量の貯湯槽を有効に使用することができる。
従って、貯湯槽に要する部品コストを低減し得ると共に、より狭い設置スペースに設置することができる。
【００２４】
また、貯湯槽内に配置した整流ケース内の流路の断面面積は、配管口の断面面積（往路循環口や返湯口から注入される湯の流路の断面面積）より大きく、これによって、配管口から注入される湯は、整流ケース内に流入するとその流速が低減され、緩やかな流れとなって貯湯槽内の天井へ導かれる。
同様に、貯湯槽内に配置した給水口の整流ケース内の流路の断面面積は、給水口の断面面積より大きく、給水口から供給される原水は、整流ケース内に流入するとその流速が低減され、緩やかな流れとなって貯湯槽内の底部へ導かれる。
【００２５】
更に、本発明では、往路循環口から注入される湯は、整流ケースの内面により案内されて進行方向が天井へ変更されるようにしてあり、給水口から供給される原水は、整流ケースの内面に衝突して進行方向が底部へ変更されるようにしてある。
このように、湯及び原水は、整流ケースの内面にそれぞれ案内されて、その向きを変えられて槽本体内の天井及び底部へ導かれるため、これによっても流速が低減され、より減速された湯及び原水が槽本体内の天井及び底部へ導かれる。
【００２６】
また、本発明では、復路循環口は整流ケースの流路中から取水するようにしてあるため、給水口から整流ケースの流路内へ供給された原水の一部がそのまま取水され、これによって、原水の供給が槽本体内に与える撹拌の影響が低減される。
また、復路循環口の断面面積を整流ケースの流路の断面面積より小さくしておくことによって、槽本体内から緩やかに取水することができ、槽本体内からの取水が槽本体内に与える撹拌の影響を可及的に低減することができる。
【００２７】
ところで、出湯口から外部へ供給した湯水を槽内部へ返送するための返湯口が槽本体に設けてあり、槽本体の返湯口から返湯された湯は整流ケース内から槽本体へ返湯する。
これによって、槽本体内に返送された湯水は、往路循環口から注入される湯と混合して温度差が低減された後、槽本体内の天井へ緩やかに導かれるため、返湯が槽本体内に与える撹拌・対流の影響が可及的に低減される。
【実施例１】
【００２８】
以下、この発明の実施例１を図面に基づき詳説する。
図１は、本発明の貯湯槽内部構造を有する貯湯槽１及びこれに付帯する周辺機器や各種パイプの組合せよりなる全体説明図を示す。
【００２９】
貯湯槽１には、貯湯槽１内の貯蔵水を昇温すべく取水する取水管５３の一端が、前述した給水管５０の連結位置と対向配置してあり、該取水管５３の他端は、無圧型又は
減圧型等の熱交換機器４０の入水口に連結してある。
この取水管５３の中途位置には、貯湯槽１内の貯蔵水を熱交換機器４０へ給送するポンプ４１が介装してある。
また、熱交換機器４０には、加熱昇温した湯水を出水する出水口が設けてあり、該出水口には、前記貯湯槽１へ湯水を注入する注湯管５４の一端が連結してある。
注湯管５４の他端は、貯湯槽１の槽本体１０ａであって槽本体天井１０ｂ近傍の位置の往路循環口に連結してあり、また、注湯管５４の中途には自動空気抜き弁６１が介装してある。
これによって、貯湯槽１内の貯蔵水を加熱・昇温する循環路が形成されている。
【００３０】
前述した熱交換機器４０には、気体又は液体の燃料を供給する燃料用管４６が連結してある。また、熱交換機器４０にも給水管５０がバルブを介して連結してあり、必要に応じて給水管５０から熱交換機器４０内に、原水が供給されるようになっている。更に、熱交換機器４０には排水管が連結してあり、内部水を排水し得るようになっている。
【００３１】
一方、貯湯槽１の槽本体天井１０ｂ中央の出湯口２には、該貯湯槽１内に貯えられた湯水を使用場所へ供給する給湯管５１が連結してあり、貯湯槽１内の湯水は内部圧力によって給湯管５１内へ吐出される。
この給湯管５１には、蛇口・シャワーヘッド等に連通する複数の枝管が連結してあり、給湯管５１内を通流する湯水は各枝管へ供給される。
蛇口・シャワーヘッド等及び前述した枝管が連結する各連結部には、前述した給水管５０に連通する枝管も接続してあり、各連結部内で湯水と原水とを混合することによって、所要の温度の湯水を使用し得るようにしてある。
【００３２】
前記給湯管５１は返湯管５２に連通しており、該返湯管５２は貯湯槽１の返湯口６に連通固着してある。
この返湯管５２の中途には返湯用ポンプが介装してあり、返湯管５２内の湯水は返湯用ポンプによって貯湯槽１内へ還流される。
このように、貯湯槽１内の湯水が給湯管５１及び返湯管５２によって循環されているため、前述した枝管へ適宜温度の湯水を供給することができる。
【００３３】
ところで、貯湯槽１の槽本体天井１０ｂには膨張管５６の一端が連結してあり、膨張管５６の他端は、三叉連結部材を介して、密閉式の膨張タンク６０及び排水管に各別に連結してある。
そして、貯湯槽１内の湯温上昇による膨張によって溢れた湯水は、膨張管５６を通って膨張タンク６０内に一時的に貯えられるようになっている。また、膨張管５６の中途には逃し弁６２が介装してあり、該逃し弁６２は、貯湯槽１内が規定圧力になったとき作動して、内部圧力を逃がすようになっている。
一方、図３に示すように、貯湯槽１の底部１０ｃ側の内壁面には、貯蔵水の温度を検出する温度センサ３０が取り付けられており、温度センサ３０で検出した温度に基づいて熱交換機器４０を作動して温度調節するように構成している。
なお、上下方向（例えば貯湯槽１の底部１０ｃ側及び上部１０ｂ側）に複数箇所温度センサ３０を取り付けることができれば、任意のセンサの位置で貯湯することが可能となる。
【００３４】
図２は、本発明の実施例１における貯湯槽の平面図である。
図３は、本発明の実施例１における貯湯槽の断面説明図である。
貯湯槽１は、図２及び図３に示すように、その槽周壁Ｓに出湯口２と給水口３と返湯口６と往路循環口４と復路循環口５を配設している。
出湯口２は、図２に示すように、浴槽やカラン等の温水利用機器に対して給湯を行うために槽周壁上部に配設している。
給水口３は、原水の低温湯を送水するために槽周壁下部に配設している。
返湯口６は、温水利用機器における残温水を槽本体１０ａに戻すために槽周壁上部（又は槽周壁中間部）に配設している。
往路循環口４と復路循環口５は、槽本体１０ａ内部下層に沈降した原水を含む低温湯を槽本体１０ａ外に設置した熱交換機器４０に返流して加熱し、昇温して槽本体１０ａ内部上層へ貯湯し循環するように槽周壁上部と槽周壁下部にそれぞれ配設している。
【００３５】
上記のように構成した貯湯槽１において、本発明の実施例は、槽周壁Ｓに配設した給水口３、返湯口６、往復路循環口４，５のいずれかの又はその全ての槽周壁Ｓ内側の開口部に断面路コ字状の上下開放の縦型の整流ケース１１〜１４を被覆したこと及び返湯口６の整流ケース１１〜１４は上端を槽本体１０ａの上部まで伸延したこと、更には返湯口６の整流ケース１１の伸延上端及び往路循環口４の整流ケース１１上端に鏡板部整流プレート１４ａをそれぞれ連接したことに特徴を有する。
【００３６】
以下、具体的に説明する。
図４は、本発明の実施例１における貯湯槽の一部断面説明図である。
給水口３と返湯口６と往復路循環口４，５は、図４に示すように、槽周壁Ｓ内側面に開口すると共に、各配管口３〜６の開口部は、上下開放した断面コ字状の整流ケース１１〜１４により被覆されている。
【００３７】
図５は、本発明の実施例１における整流ケース１１〜１４の各構造を示した斜視説明図であり、（ａ）は配管口整流ケース１１の構造を示した斜視説明図であり、（ｂ）は返湯部整流ケース１２の構造を示した斜視説明図であり、（ｃ）は上部整流ケース１３の構造を示した斜視説明図であり、（ｄ）は鏡板部整流ケース１４の構造を示した斜視説明図である。
【００３８】
整流ケース１１〜１４は、基本的には、板金加工により上下開放の断面略コ字状（又は略Ｕ字状）に成形してある。
このうち、配管口整流ケース１１は、図５（ａ）に示すように、装着する個所に対応して、槽周壁Ｓの内側面に取り付けるための略Ｌ字状のブラケット１５をコ字状の両側面に突設した構造を有する。
また、両側板の上端位置に整流ケース１２、１４への上下連結用の取付孔１８ａを穿設した構造を有する。
さらに、配管口整流ケース１１の上方開口又は下方開口には、各配管部３〜６に流入する水や湯が抜けないよう折曲成形した蓋部２１を配設している。
【００３９】
あるいは、図５（ｂ）に示すように、返湯部整流ケース１２は、両側板の上端及び下端位置に整流ケースの上下連結用の取付孔１８ｂを穿設した構造を有する。
【００４０】
あるいは、図５（ｃ）に示すように、上部整流ケース１３は、図５（ａ）と同様の構造を有し、ブラケット１５をコ字状の両側面に突設した構造を有する。
また、背板部には前記返湯部整流ケース１２の切欠部１６を差し込む差込孔１９が穿設されている。
【００４１】
あるいは、図５（ｄ）に示すように、鏡板部整流ケース１４は、両側板の下端隅部２０を斜めに切削し、背板下端に山型の切欠部１６を形成した構造を有する。
また、両側板の下端位置に整流ケースの上下連結用の取付孔１８ｃを穿設した構造を有する。
【００４２】
そして、整流ケース１１〜１４は上記のように構成され所定の配管口３〜６を被覆するために、あるいは、槽本体１０ａの鏡板部Ｋに位置するように配設されている。
【００４３】
すなわち、給水口３や返湯口６や往復路循環口４，５や返湯口６上方の槽本体天井１０ｂ近傍位置を被覆する縦型の整流ケースは、上下に略Ｌ字状のブラケット１５を有した構造を有する図５（ａ）に示す配管口整流ケース１１を使用し、ブラケット１５を介して槽本体１０ａの内側面に固定する。
【００４４】
また、連結ケースとなる鏡板部整流ケース１４の取付固定はその両側板上下部に穿設した取付孔１８ｃを介して、上方（又は下方）に配設した給水口３等の配管口整流ケース１１に穿設した１８ａとを位置合わせし、これらの取付孔１８ａ，１８ｃに取付用ネジ１７ｂ、ビス、カシメ及び溶接等の所定手段によって連結固定する。
【００４５】
図６は、返湯口６を被覆する整流ケース１１〜１４の組立方法を説明する説明図である。
本実施例では、図６に示すように、上記した配管口３〜６を被覆する縦型の配管口整流ケース１１のうち、返湯口６を被覆した配管口整流ケース１１とその上方の槽本体天井１０ｂ近傍位置に装着した上部整流ケース１３との間には、図５（ｃ）に示す断面コ字状の上下方開放の連結ケースとしての返湯部整流ケース１２を介在しており、これらの整流ケース１１〜１３は、上端を伸延して槽本体天井１０ｂ近傍の鏡板部整流ケース１４に連結した構成となるようにしている。
【００４６】
すなわち、図６に示すように、まず、図５（ａ）に示す配管口整流ケース１１を、返湯口６全体を被覆するように位置させて略Ｌ字状のブラケット１５にネジを通して槽周壁Ｓ内側面に固設する。
また、前記配管口整流ケース１１より所定間隔を有して同型の図５（ｃ）に示す上部整流ケース１３を略Ｌ字状のブラケット１５に固定用ネジ（図示せず）でネジ止めして槽周壁Ｓ内側面に固設する。
次に、上下の配管口整流ケース１１と上部整流ケース１３との間に図５（ｂ）に示す返湯部整流ケース１２を連設し、両側板に設けたネジ孔１８ａ，１８ｂに取付用ネジ１７ｂを通して固定する。
さらに、上部整流ケース１３の背板上側に穿設した差込孔１９に、図５（ｄ）に示す鏡板部整流ケース１４に設けた切欠部１６を差込み、両側板の取付孔１８ａ，１８ｃに取付用ネジ１７ｂを通して固定する。
そして、鏡板部整流ケース１４を、槽本体天井１０ｂを湾曲状に形成した鏡板部Ｋに対応するように所定角度で斜めに連設する。
このようにして、返湯口６を被覆する整流ケース１１〜１４の組立てを完成させることにより、既存の貯湯槽に対して性能を向上させて改変することができる。
【００４７】
前述した整流ケース１１〜１４の口径は、当該整流ケース１１〜１４の単位時間当りの通流量が、復路循環口５又は返湯口６の単位時間当りの通流量の１／４〜１／１０程度になるようにしてある。
これによって、復路循環口５から吐出される湯水の流速、及び返湯口６から吐出される返湯水の流速が共に低下して、整流ケース１１〜１４の開口から出湯口２へ向かって高い温度の湯水が緩やかに流出されるため、貯湯槽１内で対流・撹拌を生じることが可及的に防止され、流出された湯水は貯湯槽１の槽本体天井１０ｂから底部１０ｃへ、順次積層される態様で、即ち、より低温の貯蔵水との界面を保った状態で貯えられて行く。
【００４８】
一方、より低温の貯蔵水が、貯湯槽１内の底部１０ｃ近傍に配設した給水口３から往路循環口４へ取水される。
このとき、前同様、給水口３の整流ケース１１〜１４の口径は、当該整流ケース１１〜１４の単位時間当りの通流量が、給水口３又は往路循環口４の単位時間当りの通流量の１／４〜１／１０程度になるようにしてある。
これによって、貯蔵水が給水口３の整流ケース１１〜１４内へ緩やかに流入するため、取水による貯蔵水の対流の発生が可及的に抑制され、相対的に高温の貯蔵水と相対的に低温の貯蔵水との界面を保った状態で、相対的に低温の貯蔵水を採取することができる。
【００４９】
更に、給水口３から吐出される原水の一部が整流ケース１１〜１４を介して槽本体１０ａの下部内から往路循環口４によって取水されるため、給水口３の整流ケース１１〜１４を介して貯湯槽１内の底部１０ｃ近傍から取水される貯蔵水の量が少なく、従って、取水による貯蔵水の対流の発生が更に抑制されるのに加え、給水口３から整流ケース１１〜１４を介して貯湯槽１内へ直接的に供給される原水の量も低減され、原水の供給による貯蔵水の対流も抑制される。
また、給水口３から供給される原水の温度と、貯湯槽１内の底部１０ｃ近傍の貯蔵水の温度との間には差があるが、両者は槽本体１０ａの下部内で混合されることによって温度差が低減されるため、温度差による貯蔵水の対流を抑制することができる。
【００５０】
従って、熱交換機器４０の加熱能力以内で給湯している場合、貯湯槽１内の給水口３の開口端位置より上方に、６５℃以上の高湯水温領域Ｒｈが形成され、貯湯槽１内の給水口３の開口端位置より下方に、２５℃未満の水温領域が形成される。
そして、貯湯槽１内の給水口３の開口端位置に、高湯水温領域Ｒｈと水温領域との界面が形成される。
このように、本発明に係る貯湯槽１にあっては、貯湯槽１内のほとんどの領域を高湯水温領域Ｒｈにすることができ、従来と同じ容積の貯湯槽１で有効温度の湯水をより多量に貯蔵することができる。
【００５１】
一方、このような給湯装置において、熱交換機器４０の加熱能力以上の給湯は次のように実施される。
【００５２】
図７は、本発明に係る給湯装置において、貯湯槽１内の湯水を、熱交換機器４０の加熱能力を超えて給湯した場合の貯湯槽１内の貯蔵水の温度変化を模式的に示す図面である。
【００５３】
図７（ａ）に示した如く、給湯開始時にあっては、貯湯槽１内の給水口３の開口端位置より上方に、６５℃以上の高湯水温領域Ｒｈが形成され、貯湯槽１内の給水口３の開口端位置より下方に、２５℃未満の水温領域Ｒｗが形成されており、貯湯槽１内の給水口３の開口端位置に、高湯水温領域Ｒｈと水温領域Ｒｗとの界面が形成されている。
【００５４】
しかし、熱交換機器４０の加熱能力を超えた給湯が続くと、図７（ｂ）に示した如く、貯湯槽１から吐出される給湯量に応じた量の原水が給水口３から貯湯槽１内に供給される一方、加熱器によって加熱・昇温された湯水が復路循環口５から槽内へ流入される量が、槽外へ吐出される給湯量より少ないため、高湯水温領域Ｒｈが減少し始めると共に、水温領域Ｒｗが拡大する。
【００５５】
更に、加熱器の加熱能力を超えた給湯が続くと、図７（ｃ）、（ｄ）及び（ｅ）に示した如く、高湯水温領域Ｒｈが減少する一方、前述した界面を保持しつつ、水温領域Ｒｗが更に拡大する。
しかし、これらの間、高湯水温領域Ｒｈと水温領域Ｒｗとの界面が略保たれた状態で、高湯水温領域Ｒｈが減少するため、有効温度の湯水が供給され続ける。
そして、図７（ｅ）に示した如く、貯湯槽１内のほとんどの領域が水温領域Ｒｗとなって、高湯水温領域Ｒｈが消失するまで、有効温度の湯水が供給される。
【００５６】
このように、加熱器の加熱能力を超えた給湯の開始時に、貯湯槽１内のほとんどの領域を占める高湯水温領域Ｒｈの略全量が、有効温度を保った状態で供給されるため、貯湯槽１の容量を従来の貯湯槽と同じ容積にした場合は、有効温度の湯水をより長時間供給することができる。
【実施例２】
【００５７】
実施例１では、貯湯槽１の上部では断面略コ字状の鏡板部整流ケース１４を使用していたが、この鏡板部整流ケース１４に代えて、本実施例では図８（ａ）に示すように、板状の鏡板部整流プレート１４ａを使用する。その他の部品については実施例１と同じである。
そして、板状の鏡板部整流プレート１４ａを他の整流ケース１１〜１３に連設することにより、返湯口６から注入される湯を貯湯槽１の天井部１０ｂに流通させることができる。
また、板状の鏡板部整流プレート１４ａは、フレキシブルな素材で形成することで、湾曲状に形成した鏡板部Ｋに沿って湾曲状に構成することができる。
従って、前記返湯口６から注入される湯は、上側鏡板部整流プレート１４ａの形状に従って天井にスムーズに流すことができ、しかも、実施例１に比べて整流部材の構造を簡単化し、取付性も容易にすることができる。
【実施例３】
【００５８】
次に本実施では、図８（ｂ）に示すように、貯湯槽１下部において、整流パイプ２２を使用して、特開２００４−３６１０７号公報に類似する構造にするものである。
すなわち、給水口３と復路循環口５を被覆した配管口整流ケース１１ａ（上方及び下方に蓋部２１を有するもの）に整流パイプ２２の基端をそれぞれ連通し、各整流パイプ２２の先端は、基端側より下方に位置させた状態にして貯湯槽１の底部１０ｃを貫通させた支持脚部２３に担持させている。
整流パイプ２２として、例えば余った空調用のステンレスダクトを使用する。
このように構成することにより、特開２００４−３６１０７号公報に記載の貯湯槽の下部構造に類似する形態とすることができる。
すなわち、給水口３から供給された水を攪拌や対流を可及的に少なくして槽本体の下部に供給でき、また、槽本体の下部にある水を攪拌や対流を可及的に少なくして復路循環口５を通して熱交換機器４０に供給することができる。
なお、槽本体天井１０ｂでは、上記実施例１と同じ構造にする。
従って、本実施例では、既存の部品を用いることにより、貯湯槽１に要する部品コストを低減し得る効果を有する。
【００５９】
なお、図８（ｃ）に示す貯湯槽１は実施例１の構造を示すものであり、他実施例とを比較するために図示したものである。
【００６０】
このように、本発明の貯湯槽１は、槽内で撹拌・対流を生じることが可及的に防止され、注入された湯は貯湯槽の天井から底部へ、順次積層される態様で、即ち、原水との界面を保った状態で貯えられて行くと共に、給水口から内部に供給された原水は、貯湯槽内で撹拌・対流を生じることが可及的に防止され、内部に供給された原水は、槽本体の底部に留まり、湯と原水との界面が乱れることなく保たれる。
従って、高低温湯の境界層が明瞭となり、出湯温度にむらを生起しにくい構造を有する。
【００６１】
このような構造を有することにより、既設の貯湯槽に前記図５（ａ）〜図５（ｃ）に示す整流ケース１１〜１４を後付けすることにより、能力を倍増することができ、熱交換機器４０の熱交換率を向上させ、循環量を抑制できる省エネルギーを達成できる貯湯槽１を得ることができる。
しかも、整流ケース１１〜１４は、板金加工で簡単に作製することができる構造を有しており、貯湯槽への取付及び組立も容易な構造を有するものである。
これにより、例えば熱交換機器４０（ボイラー）の買い替え時においても、貯湯槽は既存のものをそのまま使用することができ、しかも、性能を向上させた状態で使用継続が可能である。
更には、熱源(ボイラー)取替時にボイラー以外の給湯器やエコキュート（ヒートポンプ給湯器）やそれぞれとのハイブリッド給湯システムへの変更が可能となり、給湯システムの選択肢が増える。
【００６２】
以上、本発明の実施形態について説明したが、上記実施形態は本発明の適用例の一つを示したものであり、本発明の技術的範囲を上記実施形態の具体的構成に限定する趣旨ではない。本発明の要旨を逸脱しない範囲において種々変更可能である。
【符号の説明】
【００６３】
１  貯湯槽
２  出湯口
３  給水口
４  往路循環口
５  復路循環口
６  返湯口
４０  熱交換機器
Ｓ  槽周壁
１０ａ  槽本体
１０ｂ  槽本体天井
１１〜１４  整流ケース
２２  整流パイプ
２３  支持脚部
【図１】
2015210039.tif 000003
【図２】
2015210039.tif 000004
【図３】
2015210039.tif 000005
【図４】
2015210039.tif 000006
【図５】
2015210039.tif 000007
【図６】
2015210039.tif 000008
【図７】
2015210039.tif 000009
【図８】
2015210039.tif 000010